【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
ネットワークを介してクライアントが使用するクライアント時刻を監視する時刻監視システムであって、
協定世界時に基づいて校正されている信頼できる基準時刻を刻む基準時刻手段と、
前記ネットワークを介して前記クライアントが使用する時刻情報を少なくとも１回取得するクライアント時刻取得手段と、
該クライアント時刻取得手段が取得したクライアント時刻と前記基準時刻手段から取得した基準時刻とを比較して両者の時刻差が所定範囲内であることを監視すると共に監視したことを証明する時刻監視手段と
を具備することを特徴とする時刻監視システム。
【請求項２】
前記時刻監視手段が生成した前記時刻監視情報を所定期間蓄積して当該所定期間毎に時刻監視証明書として発行する時刻監視証明書発行手段をさらに具備することを特徴とする請求項１に記載の時刻監視システム。
【請求項３】
前記時刻監視証明書発行手段は、前記時刻監視情報を示す電子データ又はその一方向関数値からなる電子情報に信頼できる時刻情報を加えたタイムスタンプ情報を含む電子証明書を前記時刻監視証明書とすることを特徴とする請求項２に記載の時刻監視システム。
【請求項４】
前記時刻監視手段が取得した前記時刻差が所定範囲を超えた場合に所定の警報を発する警報手段をさらに具備することを特徴とする請求項１〜３の何れかに記載の時刻監視システム。
【請求項５】
前記時刻監視手段の監視の回数に応じて課金する課金手段をさらに具備することを特徴とする請求項１〜４の何れかに記載の時刻監視システム。
【請求項６】
前記クライアントが、イントラネット内のクライアントＰＣであり、前記クライアント時刻は、前記イントラネット内の標準時刻として使用されている時刻であることを特徴とする請求項１〜５の何れかに記載の時刻監視システム。
【請求項７】
前記クライアント時刻取得手段は、前記ネットワークを介して前記クライアントにアクセスして前記クライアント時刻を取得することを特徴とする請求項１〜６の何れかに記載の時刻監視システム。
【請求項８】
前記クライアント時刻取得手段は、前記ネットワークを介して前記クライアントからアクセスを受けて前記クライアント時刻を取得することを特徴とする請求項１〜６の何れかに記載の時刻監視システム。
【請求項９】
ネットワークを介してクライアントが使用するクライアント時刻を監査する時刻監視方法であって、
協定世界時に基づいて校正されている信頼できる基準時刻を刻む基準時刻手段を具備し、前記ネットワークを介して前記クライアントが使用する時刻情報を少なくとも１回取得すると共に当該クライアント時刻取得手段が取得したクライアント時刻と前記基準時刻手段から取得した基準時刻とを比較して両者の時刻差が所定範囲内であることを監視すると共に監視したことを証明することを特徴とする時刻監視方法。
【請求項１０】
所定期間に蓄積した前記時刻監視情報を、前記所定期間毎の時刻監視証明書として発行することを特徴とする請求項９に記載の時刻監視方法。
【請求項１１】
前記時刻監視情報を示す電子データ又はその一方向関数値からなる電子情報に、信頼できる時刻情報を加えたタイムスタンプ情報を含む電子証明書を、前記時刻監視証明書とすることを特徴とする請求項１０に記載の時刻監視方法。
【請求項１２】
前記時刻監視証明書を所定期間集め、その電子データ又はその一方向関数値を前記タイムスタンプ手段に出力して得た電子証明書を前記所定期間毎の時刻監視証明書とすることを特徴とする請求項９に記載の時刻監視方法。
【請求項１３】
前記時刻監視手段が、さらに取得した前記時刻差が所定範囲を超えた場合に所定の警報を発するようにすることを特徴とする請求項９〜１２の何れかに記載の時刻監視方法。
【請求項１４】
前記時刻監視の回数に応じて課金することを特徴とする請求項９〜１３の何れかに記載の時刻監視方法。
【請求項１５】
前記クライアントが、イントラネット内のクライアントＰＣであり、前記クライアント時刻は、前記イントラネット内の標準時刻として使用されている時刻であることを特徴とする請求項９〜１４の何れかに記載の時刻監視方法。
【請求項１６】
前記ネットワークを介して前記クライアントにアクセスして前記クライアント時刻を取得することを特徴とする請求項９〜１５の何れかに記載の時刻監視方法。
【請求項１７】
前記ネットワークを介して前記クライアントからアクセスを受けて前記クライアント時刻を取得することを特徴とする請求項９〜１５の何れかに記載の時刻監視方法。
【請求項１８】
ネットワークを介してクライアントＰＣが使用するクライアント時刻を監視する時刻監視センターと、該時刻監視センターから時刻の監視を受けるクライアントＰＣとからなる時刻監視システムであって、
前記時刻監視センターが、
基準時刻を計測する基準時刻手段と、
前記ネットワークを介して前記クライアントＰＣが使用する時刻情報を少なくとも１回取得するクライアント時刻取得手段と、
該クライアント時刻取得手段が取得したクライアント時刻と前記基準時刻手段から取得した基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成する時刻監視手段と
を具備することを特徴とする時刻監視システム。
【請求項１９】
前記時刻監視センターはさらに警報手段を具備し、
該警報手段は、前記時刻監視手段が作成した前記警報情報を取得して、前記クライアントＰＣへ警報を送信すると共に、前記警報を送信したことを示す情報を作成することを特徴とする、請求項１８に記載の時刻監視システム。
【請求項２０】
前記時刻監視センターはさらに時刻監視証明書発行手段を具備し、
該時刻監視証明書発行手段は、前記時刻監視手段が作成した前記時刻監視情報、および前記警報手段が作成した前記警報を送信したこととを示す情報を取得して所定期間蓄積すると共に、前記クライアントＰＣへ、前記時刻監視手段が前記クライアントＰＣの時刻を所定期間監視したことを証明する時刻監視証明書を発行することを特徴とする、請求項１９に記載の時刻監視システム。
【請求項２１】
前記時刻監視センターはさらに、入力されたデータに信頼できる時刻情報を加えたタイムスタンプ情報を含む、時刻監視証明書を作成するタイムスタンプサーバを具備し、
前記時刻監視証明書発行手段は、前記タイムスタンプサーバに、前記時刻監視手段が前記クライアントＰＣの時刻を所定期間監視したことを示す期間時刻監視情報の一方向関数値を前記所定期間ごとに作成して、前記タイムスタンプサーバに送出すると共に、前記タイムスタンプサーバから、前記期間時刻監視情報の一方向関数値に信頼できる時刻情報を加えたタイムスタンプ情報を含む時刻監視証明書を取得して、該時刻監視証明書を前記クライアントＰＣへ発行することを特徴とする、請求項２０に記載の時刻監視システム。
【請求項２２】
前記時刻監視センターはさらに課金手段を具備し、
該課金手段は、前記時刻監視手段が前記クライアント時刻と前記基準時刻とを比較して前記時刻監視情報もしくは前記警報情報を作成することで前記クライアント時刻を監視する、監視回数に応じて、前記クライアントＰＣに課金をすることを特徴とする、請求項１８に記載の時刻監視システム。
【請求項２３】
前記クライアントＰＣが、前記時刻監視センターの前記時刻監視手段が前記クライアント時刻と前記基準時刻とを比較して前記時刻監視情報もしくは前記警報情報を作成することで前記クライアント時刻を監視する、監視タイミングを決定する手段を具備することを特徴とする、請求項１８に記載の時刻監視システム。
【請求項２４】
ネットワークを介してクライアントＰＣが使用するクライアント時刻を監視する時刻監視センターであって、
基準時刻を計測する基準時刻手段と、
前記ネットワークを介して前記クライアントＰＣが使用する時刻情報を少なくとも１回取得するクライアント時刻取得手段と、
該クライアント時刻取得手段が取得したクライアント時刻と前記基準時刻手段から取得した基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成する時刻監視手段と
を具備することを特徴とする時刻監視センター。
【請求項２５】
前記時刻監視手段が作成した前記警報情報を取得して、前記クライアントＰＣへ警報を送信すると共に、前記警報を送信したことを示す情報を作成する警報手段をさらに具備することを特徴とする、請求項２４に記載の時刻監視センター。
【請求項２６】
前記時刻監視手段が作成した前記時刻監視情報、および前記警報手段が作成した前記警報を送信したこととを示す情報を取得して所定期間蓄積すると共に、前記クライアントＰＣへ、前記時刻監視手段が前記クライアントＰＣの時刻を所定期間監視したことを証明する時刻監視証明書を発行する時刻監視証明書発行手段をさらに具備することを特徴とする、請求項２５に記載の時刻監視センター。
【請求項２７】
入力されたデータに信頼できる時刻情報を加えたタイムスタンプ情報を含む、時刻監視証明書を作成するタイムスタンプサーバをさらに具備し、
前記時刻監視証明書発行手段は、前記タイムスタンプサーバに、前記時刻監視手段が前記クライアントＰＣの時刻を所定期間監視したことを示す期間時刻監視情報の一方向関数値を、前記所定期間ごとに作成して前記タイムスタンプサーバに送出すると共に、前記タイムスタンプサーバから、前記期間時刻監視情報の一方向関数値に信頼できる時刻情報を加えたタイムスタンプ情報を含む時刻監視証明書を取得して、該時刻監視証明書を前記クライアントＰＣへ発行する、請求項２６に記載の時刻監視センター。
【請求項２８】
前記時刻監視手段が前記クライアント時刻と前記基準時刻とを比較して前記時刻監視情報もしくは前記警報情報を作成することで前記クライアント時刻を監視する、監視回数に応じて、前記クライアントＰＣに課金をする課金手段をさらに具備することを特徴とする、請求項２４に記載の時刻監視センター。
【請求項２９】
ネットワークを介してクライアントＰＣが使用するクライアント時刻を監視するアプリケーションサーバであって、
基準時刻を計測する基準時刻手段と、
前記ネットワークを介して前記クライアントＰＣが使用する時刻情報を少なくとも１回取得するクライアント時刻取得手段と、
該クライアント時刻取得手段が取得したクライアント時刻と前記基準時刻手段から取得した基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成する時刻監視手段と
を具備することを特徴とするアプリケーションサーバ。
【請求項３０】
前記時刻監視手段が作成した前記警報情報を取得して、前記クライアントＰＣへ警報を送信すると共に、前記警報を送信したことを示す情報を作成する警報手段をさらに具備することを特徴とする、請求項２９に記載のアプリケーションサーバ。
【請求項３１】
前記時刻監視手段が作成した前記時刻監視情報、および前記警報手段が作成した前記警報を送信したこととを示す情報を取得して所定期間蓄積すると共に、前記クライアントＰＣへ、前記時刻監視手段が前記クライアントＰＣの時刻を所定期間監視したことを証明する時刻監視証明書を発行する時刻監視証明書発行手段をさらに具備することを特徴とする、請求項３０に記載のアプリケーションサーバ。
【請求項３２】
前記時刻監視手段が前記クライアント時刻と前記基準時刻とを比較して前記時刻監視情報もしくは前記警報情報を作成することで前記クライアント時刻を監視する、監視回数に応じて、前記クライアントＰＣに課金をする課金手段をさらに具備することを特徴とする、請求項２９に記載のアプリケーションサーバ。
【請求項３３】
ネットワークを介してクライアントＰＣが使用するクライアント時刻を取得し、基準時刻と前記クライアント時刻とを比較することで前記クライアント時刻を監視して、前記クライアントＰＣへ時刻監視証明書を発行する時刻監視センターから、時刻の監視を受けるクライアントＰＣであって、
前記時刻監視センターに、前記クライアント時刻を取得させる手段と、
前記時刻監視センターが前記クライアント時刻と前記基準時刻とを比較することで前記クライアント時刻を監視する、監視タイミングを決定する手段と、
前記時刻監視センターが前記監視タイミングで前記クライアントＰＣの時刻を監視した結果に基づいて発行した、時刻監視証明書を取得する手段と
を具備することを特徴とする、クライアントＰＣ。
【請求項３４】
基準時刻を計測する基準時刻手段を具備し、ネットワークを介してクライアントＰＣが使用するクライアント時刻を監視する時刻監視センターで使用される時刻監視方法であって、
前記基準時刻手段から基準時刻を取得するステップと、
前記ネットワークを介して前記クライアントＰＣが使用する時刻情報を少なくとも１回取得するステップと、
前記クライアント時刻と前記基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成するステップと
を具備することを特徴とする時刻監視方法。
【請求項３５】
前記警報情報に基づいて、前記クライアントＰＣへ警報を送信するステップと、
前記警報を送信したことを示す情報を作成するステップと
をさらに具備することを特徴とする、請求項３４に記載の時刻監視方法。
【請求項３６】
前記時刻監視情報および前記警報を送信したこととを示す情報を、所定期間蓄積するステップと、
前記クライアントＰＣへ、前記クライアントＰＣの時刻を所定期間監視したことを証明する時刻監視証明書を発行するステップと
をさらに具備することを特徴とする、請求項３５に記載の時刻監視方法。
【請求項３７】
前記クライアントＰＣの時刻を所定期間監視したことを示す期間時刻監視情報の一方向関数値を、前記所定期間ごとに作成するステップと、
前記クライアントＰＣへ発行する時刻監視証明書として、前記期間時刻監視情報の一方向関数値に、信頼できる時刻情報を加えたタイムスタンプ情報を含む時刻監視証明書を作成するステップと
をさらに具備することを特徴とする、請求項３６に記載の時刻監視方法。
【請求項３８】
前記クライアント時刻と前記基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成するステップにより前記クライアントＰＣを監視する、監視回数に応じて、前記クライアントＰＣに課金をするステップをさらに具備することを特徴とする、請求項３４に記載の時刻監視方法。
【請求項３９】
ネットワークを介してクライアントＰＣが使用するクライアント時刻を取得し、基準時刻と前記クライアント時刻とを比較することで前記クライアント時刻を監視して、前記クライアントＰＣへ時刻監視証明書を発行する時刻監視センターから、時刻の監視を受けるクライアントＰＣで使用される時刻監視方法であって、
前記時刻監視センターに、前記クライアント時刻を取得させるステップと、
前記時刻監視センターが前記クライアント時刻と前記基準時刻とを比較することで前記クライアント時刻を監視する、監視タイミングを決定するステップと、
前記時刻監視センターが前記監視タイミングで前記クライアントＰＣの時刻を監視した結果に基づいて発行した、時刻監視証明書を取得するステップと
を具備することを特徴とする、時刻監視方法。
【請求項４０】
基準時刻を計測する基準時刻手段を具備するコンピュータに、クライアントＰＣが使用するクライアント時刻を監視させる時刻監視プログラムであって、
前記基準時刻手段から基準時刻を取得する機能と、
前記ネットワークを介して前記クライアントＰＣが使用する時刻情報を少なくとも１回取得する機能と、
前記クライアント時刻と前記基準時刻との時刻差が所定範囲内である場合、前記クライアント時刻が前記基準時刻から前記所定範囲内にあることを示す時刻監視情報を作成し、前記クライアント時刻と前記基準時刻との前記時刻差が所定範囲を超える場合、警報情報を作成する機能と
をコンピュータに実行させる時刻監視プログラム。
【請求項４１】
前記警報情報に基づいて、前記クライアントＰＣへ警報を送信する機能と、
前記警報を送信したことを示す情報を作成する機能と
をさらにコンピュータに実行させる、請求項４０に記載の時刻監視プログラム。
【請求項４２】
前記時刻監視情報および前記警報を送信したことを示す情報を、所定期間蓄積する機能と、
前記クライアントＰＣへ、前記クライアントＰＣの時刻を所定期間監視したことを証明する時刻監視証明書を発行する機能と
をさらにコンピュータに実行させる、請求項４１に記載の時刻監視プログラム。